(57)【要約】【課題】  階段１の下側の空間を拡げて、居住者が室内の空間を十分に有効利用すること。【解決手段】  上層階３の固定部７と下層階５の固定部９との間に桁部材１１が架設され、桁部材１１のウェブ１３に複数のノッチ１７が等間隔に形成され、中間支持部材１９は、複数のノッチ１７にそれぞれ固着されかつ水平な支持面２１ａと垂直な支持面２１ｂをそれぞれ有した断面Ｌ型の複数の支持部２１を桁部材１１の長手方向に沿って連続して成形してなるものであって、段部材２５は、垂直な支持面２１ｂにそれぞれ固着された複数の蹴込み板２７と、水平な支持面２１ａにそれぞれ固着されかつ上段側の蹴込み板２７と下段側の蹴込み板２７に挟まれるようにそれぞれ一体的に接合された複数の踏み板２９とを備えていること。【選択図】    図１
2006052599.tif 000002
【特許請求の範囲】
【請求項１】
上層階と下層階を直線状に繋ぐ階段において、
前記上層階の固定部と前記下層階の固定部との間に架設され、Ｔ型鋼により構成され、ウェブに複数のノッチが等間隔に形成された桁部材と；
前記桁部材に配設され、金属板により構成され、複数のノッチにそれぞれ固着されかつ水平な支持面と垂直な支持面をそれぞれ有した断面Ｌ型の複数の支持部を前記桁部材の長手方向に沿って連続して成形してなる中間支持部材と；
前記中間支持部材に配設され、集成材により構成され、前記垂直な支持面にそれぞれ固着された複数の蹴込み板と、前記水平な支持面にそれぞれ固着されかつ上段側の前記蹴込み板と下段側の前記蹴込み板に挟まれるようにそれぞれ一体的に接合された複数の踏み板とを備えた段部材と；
を具備したことを特徴とする階段。
【発明の詳細な説明】
【技術分野】
【０００１】
本発明は、例えば、マンション、一戸建て住宅等の建築物の室内に施工された構造物の１つである階段に関する。
【背景技術】
【０００２】
近年、マンション等の建築物の室内にあっては、上層階と下層階を直線状に繋ぐ階段が施工されることがよくあり、前記階段（従来の階段）の具体的な構成は次のようになる。
【０００３】
即ち、前記上層階の固定部と前記下層階の固定部との間には、桁部材が架設されており、この桁部材は、Ｈ型鋼又はパイプ鋼により構成されている。また、前記桁部材の上面には、断面Ｌ型の複数の支持部材が前記桁部材の長手方向に沿って等間隔に設けられており、前記複数の支持部材は、金属板によりそれぞれ構成されてあって、水平な支持面と垂直な支持面をそれぞれ有している。そして、前記複数の支持部材における前記水平な支持面には、踏み板がそれぞれ固着されており、前記複数の支持部材における前記垂直な支持面には、蹴込み板がそれぞれ固着されている。
【０００４】
なお、本発明に関連する先行技術として特許文献１及び特許文献２に示すものがある。
【特許文献１】特開平７−１８９４４７号公報
【特許文献２】特開平７−５４４５２号公報
【発明の開示】
【発明が解決しようとする課題】
【０００５】
ところで、建築基準法の要請から前記階段の撓みを小さくする必要がある一方、前記階段の撓みを小さくしようとすると、前記桁部材の成（縦寸法）が大きくなる。そのため、前記階段の下側の空間が狭くなって、居住者が室内の空間を十分に有効利用することができないという問題が生じる。
【課題を解決するための手段】
【０００６】
請求項１に記載の発明にあっては、上層階と下層階を直線状に繋ぐ階段において、
前記上層階の固定部と前記下層階の固定部との間に架設され、Ｔ型鋼により構成され、ウェブに複数のノッチが等間隔に形成された桁部材と；
前記桁部材に配設され、金属板により構成され、複数のノッチにそれぞれ固着されかつ水平な支持面と垂直な支持面をそれぞれ有した断面Ｌ型の複数の支持部を前記桁部材の長手方向に沿って連続して成形してなる中間支持部材と；
前記中間支持部材に配設され、集成材により構成され、前記垂直な支持面にそれぞれ固着された複数の蹴込み板と、前記水平な支持面にそれぞれ固着されかつ上段側の前記蹴込み板と下段側の前記蹴込み板に挟まれるようにそれぞれ一体的に接合された複数の踏み板とを備えた段部材と；
を具備したことを特徴とする。
【０００７】
請求項１に記載の発明特定事項によると、前記中間支持部材は、前記ノッチにそれぞれ固着された複数の支持部を前記桁部材の長手方向に沿って連続して成形してなるものであるため、前記桁部材の長手方向に亘って、前記中間支持部材と前記桁部材と一体構造にすることができる。
【０００８】
また、前記段部材は、前記垂直な支持面にそれぞれ固着された複数の蹴込み板と、前記水平な支持面にそれぞれ固着されかつ上段側の前記蹴込み板と下段側の前記蹴込み板に挟まれるようにそれぞれ一体的に接合された複数の踏み板とを備えているため、前記桁部材の長手方向に亘って、前記段部材と前記中間支持部材を一体構造にすることができる。
【０００９】
よって、前記桁部材の長手方向に亘って、Ｔ型鋼により構成された前記桁部材、金属板により構成された前記中間支持部材、及び集成材により構成された前記段部材を一体構造にすることができ、前記階段全体としての曲げ剛性を高めることができる。
【発明の効果】
【００１０】
請求項１に記載の発明によれば、前記桁部材の長手方向に亘って、Ｔ型鋼からなる前記桁部材、金属板からなる前記中間支持部材、及び集成材からなる記段部材を一体構造にすることができ、前記階段全体としての曲げ剛性をたかめるこｔができるため、前記桁部材の成（縦寸法）を大きくすることなく、前記階段の撓みを小さくすることができる。そのため、前記階段の下側の空間を拡げて、居住者が室内の空間を十分に有効利用することができる。
【発明を実施するための最良の形態】
【００１１】
本発明の実施形態について図１から図５を参照して説明する。
【００１２】
ここで、図１は、本発明の実施形態に係わる階段の側面図であって、図２は、本発明の実施形態に係わる階段の一部分の斜視図であって、図３は、本発明の実施形態に係わる階段の一部分の側面図であって、図４は、本発明の実施形態に係わる桁部材の一部分の斜視図であって、図５は、本発明の実施形態に係わる中間支持部材の一部分の斜視図である。なお、「上下」とは、図中において上下のことをいう。
【００１３】
図１及び図２に示すように、本発明の実施形態に係わる階段１は、マンション等の建築物の室内に施工された構造物の１つであって、上層階３と下層階５を直線状に繋ぐものである。そして、階段１の具体的な構成は、次のようになる。
【００１４】
図１及び図４に示すように、上層階３の固定部７と下層階５の固定部９には、桁部材１１がアンカーボルト（図示省略）等を介して架設されており、この桁部材１１は、Ｔ形鋼により構成されてあって、ウェブ１３とフランジ１５を備えている。また、桁部材１１のウェブ１３には、複数のノッチ１７が等間隔に形成されており、複数のノッチ１７は、水平な取付面１７ａと垂直な取付面１７ｂをそれぞれ有している。
【００１５】
図３及び図５に示すように、桁部材１１には、桁部材１１の長手方向へ延びた中間支持部材１９が配設されており、この中間支持部材１９は、金属板の１つである鉄板により構成されてあって、断面Ｌ型の複数の支持部２１を桁部材１１の長手方向に沿って等間隔に連続して成形してなるものである。そして、複数の支持部２１は、水平な取付面１７ａに溶接等によって固着された水平な支持面２１ａと、垂直な取付面１７ｂに溶接等によって固着された垂直な支持面２１ｂとをそれぞれ有している。なお、複数の水平な支持面２１ａと複数の垂直な支持面２１ｂには、複数の取付穴２３がそれぞれ形成されている。
【００１６】
図２及び図３に示すように、中間支持部材１９には、桁部材１１の長手方向へ延びた段部材２５が配設されており、この段部材２５は、集成材により構成されている。また、段部材２５は、垂直な支持面２１ｂにビス（図示省略）等によってそれぞれ固着された複数の蹴込み板２７と、水平な支持面２１ａにビス（図示省略）等によってそれぞれ固着された複数の踏み板２９とを備えている。そして、複数の踏み板２９は、上段側の蹴込み板２７と下段側の蹴込み板２７に挟まれるように接着剤（図示省略）等によってそれぞれ一体的に接合されている。ここで、複数の踏み板２９の一端側の上面及び他端側の下面には、係合穴３１がそれぞれ形成されており、複数の蹴込み板２７の上下の両端部には、整合関係にある係合穴３１に係合可能な係合突起３３がそれぞれ形成されている。
【００１７】
なお、図１に示すように、下層階５には、踏み台３５が配設されており、この踏み台３５の一部は、最下段の踏み板２９を延長することによって構成されるものである。また、上層階３と下層階５の間には、手すり３７が架設されており、この手すり３７は、複数の支柱３９を備えている。
【００１８】
次に、本発明の実施形態の作用及び効果について説明する。
【００１９】
中間支持部材１９は、ノッチ１７にそれぞれ固着された複数の支持部２１を桁部材１１の長手方向に沿って連続して成形してなるものであるため、桁部材１１の長手方向に亘って、中間支持部材１９と桁部材１１と一体構造にすることができる。
【００２０】
また、段部材２５は、垂直な支持面２１ｂにそれぞれ固着された複数の蹴込み板２７と、水平な支持面２１ａにそれぞれ固着され複数の踏み板２９とを備えてあって、複数の踏み板２９は、上段側の蹴込み板２７りと下段側の蹴込み板２７に挟まれるようにそれぞれ一体的に接合されているため、桁部材１１の長手方向に亘って、段部材２５と中間支持部材１９を一体構造にすることができる。
【００２１】
よって、桁部材１１の長手方向に亘って、Ｔ型鋼により構成された桁部材１１、鉄板により構成された中間支持部材１９、及び集成材により構成された段部材２５を一体構造にすることができ、階段１全体としての曲げ剛性を高めることができる。
【００２２】
従って、桁部材１１の成（縦寸法）を大きくすることなく、階段１の撓みを小さくすることができる。そのため、階段１の下側の空間を拡げて、居住者が室内の空間を十分に有効利用することができる。
【００２３】
なお、本発明は、前述の発明の実施形態の説明に限るものではなく、適宜の変更を行うことにより、その他、種々の態様で実施可能である。
【図面の簡単な説明】
【００２４】
【図１】本発明の実施形態に係わる階段の側面図である。
【図２】本発明の実施形態に係わる階段の一部分の斜視図である。
【図３】本発明の実施形態に係わる階段の一部分の側面図である。
【図４】本発明の実施形態に係わる桁部材の一部分の斜視図である。
【図５】本発明の実施形態に係わる中間支持部材の一部分の斜視図である。
【符号の説明】
【００２５】
１        階段
３        上層階
５        下層階
７        固定部
９        固定部
１１        桁部材
１３        ウェブ
１７        ノッチ
１９        中間支持部材
２１        支持部
２５        段部材
２７        蹴込み板
２９        踏み板
【図１】
2006052599.tif 000003
【図２】
2006052599.tif 000004
【図３】
2006052599.tif 000005
【図４】
2006052599.tif 000006
【図５】
2006052599.tif 000007